(57)【要約】【課題】高圧蒸気滅菌した際に蒸気の抜けがよく、より効率的に滅菌することができるとともに、使用済みの採血針を露出することなく廃棄することができる真空採血管ホルダを提供すること。【解決手段】略円筒状の本体（２）と当該本体（２）の上部に着脱されるキャップ（５）からなり、前記キャップ（５）は、天面に針カバー（２１）の保持部（６）を形成し、前記キャップ（５）の底部もしくは本体（２）の一部に通気孔（７）を形成及び／又はキャップ（５）と本体（２）の上部の間に通気孔（７Ａ）を形成した真空採血管ホルダ（１）。【選択図】図１
0003123813.tif 000002
【実用新案登録請求の範囲】
【請求項１】
略円筒状の本体（２）と当該本体（２）の上部に着脱されるキャップ（５）からなり、
前記キャップ（５）は、天面に針カバー（２１）の保持部（６）を形成し、前記キャップ（５）の底部もしくは本体（２）の一部に通気孔（７）を形成及び／又はキャップ（５）と本体（２）の上部の間に通気孔（７Ａ）を形成したことを特徴とする真空採血管ホルダ（１）。
【請求項２】
前記キャップ（５）は内筒（５Ａ）の外周に隙間をあけて外筒（５Ｂ）を形成し、前記内筒（５Ａ）の底部もしくは本体（２）の一部に通気孔（７）を形成及び／又は内筒（５Ａ）、外筒（５Ｂ）及び本体（２）の上部の間に通気孔（７Ａ）を形成したことを特徴とする請求項１記載の真空採血管ホルダ（１）。
【請求項３】
請求項１または請求項２に記載の真空採血管ホルダ（１）を有することを特徴とする医療用具。
【考案の詳細な説明】
【技術分野】
【０００１】
本考案は血液検査用の血液を採取する真空採血管ホルダ１及び医療用具の改良に関する。本考案の医療用具とは、血液バッグ等である。
【背景技術】
【０００２】
例えば特許文献１では、血液検査用の血液を採血と同時に採取することのできる真空採血管が開示されている。要するに静脈処置用の針を収容している防護具（本考案の針カバー２１に相当）は、筒状のサンプル抽出口（本考案の本体２に相当）の中へ奥深く挿入している。しかし、防護具をサンプル抽出口の奥深く挿入する形態であるため、奥深く挿入する操作に手間がかかる。
【０００３】
そこで出願人は、特許文献２で針カバーを真空採血管ホルダのキャップの保持部に装着する真空採血管ホルダを開示している。当該発明では、特許文献１に記載の発明の欠点は解消されたが、トレーに収納した真空採血管ホルダ１付きの血液バッグ等を包装袋で包装して高圧蒸気滅菌する際に、本体とキャップを装着したまま滅菌をすると、本体内部の蒸気の抜けが悪いため効率的ではない。仮に本体とキャップを外して高圧蒸気滅菌すると、使用時にキャップを探して再装着するために手間がかる。
【０００４】
【特許文献１】特表２００２−５２１１４６号公報（図３から図９参照）
【特許文献２】特開２００５−２３０２３２号公報（図１、図２参照）
【考案の開示】
【考案が解決しようとする課題】
【０００５】
本考案者が解決しようとする問題点は、特許文献１では、防護具をサンプル抽出口の奥深く挿入する形態であるため、奥深く挿入する操作に手間取り、操作性の難点がある点である。特許文献２では、トレーに収納した真空採血管ホルダ１付きの血液バッグ等を包装袋で包装して高圧蒸気滅菌する際に、本体とキャップを装着したまま滅菌をすると、本体内部の蒸気の抜けが悪いため効率的ではない点であり、本体とキャップを外して高圧蒸気滅菌すると、キャップを探して再装着するため手間がかる点である。
【課題を解決するための手段】
【０００６】
そこで本考案者は、以上の課題を解決するために鋭意検討を重ねた結果、以下の考案に到達した。
［１］本考案は、略円筒状の本体（２）と当該本体（２）の上部に着脱されるキャップ（５）からなり、
前記キャップ（５）は、天面に針カバー（２１）の保持部（６）を形成し、前記キャップ（５）の底部もしくは本体（２）の一部に通気孔（７）を形成及び／又はキャップ（５）と本体（２）の上部の間に通気孔（７Ａ）を形成した真空採血管ホルダ（１）を提供する。
［２］本考案は、前記キャップ（５）は内筒（５Ａ）の外周に隙間をあけて外筒（５Ｂ）を形成し、前記内筒（５Ａ）の底部もしくは本体（２）の一部に通気孔（７）を形成及び／又は内筒（５Ａ）、外筒（５Ｂ）及び本体（２）の上部の間に通気孔（７Ａ）を形成した［１］記載の真空採血管ホルダ（１）を提供する。
［３］本考案は、［１］または［２］に記載の真空採血管ホルダ（１）を有する医療用具を提供する。
本考案で「装着」とは、係合、嵌合、圧入、挿着、挿入などの意味を含む。
【考案の効果】
【０００７】
本考案の真空採血管ホルダ１は、略円筒状の本体２と当該本体２の上部に着脱されるキャップ５からなり、キャップ５は、天面に針カバー２１の保持部６を形成し、キャップ５の底部もしくは本体２の一部に通気孔７を形成及び／又はキャップ５と本体２の上部の間に通気孔７Ａを形成しているため、
（１）真空採血管ホルダ１を高圧蒸気滅菌した際に、蒸気の通気路となるため蒸気の抜けがよく、より効率的に滅菌することができ、真空採血管ホルダ１の内部に水滴が残りにくくなる。
（２）採血管ホルダの保持部６に針カバー２１の先端（鍔部２２）を挿入（係合、螺合、圧入等）して固定することができ、使用済みの採血針３５を露出することなく廃棄することができる。
【考案を実施するための最良の形態】
【０００８】
図１は本考案の真空採血管ホルダ１のキャップ５を閉じた状態の概略図、図２は本考案の真空採血管ホルダ１のキャップ５を開いた状態の概略図、図３は本考案の真空採血管ホルダ１のキャップ５を閉じた状態の断面図、図４は本考案の真空採血管ホルダ１に針カバー２１を装着した状態の概略図、図５は本考案の真空採血管ホルダ１を接続した医療用具３１の一例を示す平面図、図６は図５の親バッグ３２近傍のチューブＴを切断して真空採血管ホルダ１に針カバー２１を装着している状態の平面図である。
［真空採血管ホルダ１］
本考案の真空採血管ホルダ１は、略円筒状の本体２と上部に着脱されるキャップ５からなる。
キャップ５は、図１、図２に例示するように本体２の上部側にヒンジ１２を介して連結するのが最も好ましいが、本体２の上部に直接装着してもよいし、図示しないが本体２の外周に環状の固定部材を装着し、同固定部材に装着してもよい。
キャップ５は、図３に例示するように内筒５Ａの外周に隙間をあけて外筒５Ｂを形成している。内筒５Ａは、天面に凹溝状の保持部６を形成している。保持部６は、図４に例示しているように円筒形（ないし角筒形）に形成された針カバー２１の先端（鍔部２２）を装着する。内筒５Ａの底部及び／又は側部は、図３に例示するように本体２の上部と接触していない。
本体２は、図１、図２に例示するように上部に外筒５Ｂの底部が当接する鍔部３を突設している。鍔部３は、外筒５Ｂの底部が当接すればどのような形状でも良い。
キャップ５を閉じる時は、図３に例示するように本体２の突部４が内筒５Ａと外筒５Ｂの間に入り、外筒５Ｂの底部が本体２の鍔部３に当接される。その他、本体２の上部とキャップ５の外筒５Ｂをテーパまたはストレート状にして嵌入してもよい。
また、キャップ５の外筒５Ｂの外周壁に爪部９を突設するのが好ましい。爪部９を指で押し上げることで本体２とキャップ５の開閉を容易にすることができる。
【０００９】
［通気孔７、７Ａ］
図２に例示するように、内筒５Ａの底部に通気孔７を形成しても良いしもしくは（図示しない）が本体２の一部に通気孔７を形成してもよい。図３に例示するように、５Ａ、外筒５Ｂ及び本体２の上部の間に通気孔７Ａを形成しても良い。通気孔７、７Ａを形成することで真空採血管ホルダ１を高圧蒸気滅菌した際に、蒸気の通気路となりため蒸気の抜けがよく、より効率的に滅菌することができ、真空採血管ホルダ１の内部に水滴が残りにくくなる。
通気孔７は、図２に例示するようなスリット（十字状）状でも良いし複数の細孔でもよい。また通気孔７Ａは、図３に例示するように内筒５Ａ、内筒５Ｂ及び本体２の上部の隙間に形成してもよい。通気孔７、７Ａは、蒸気が本体２内部に抜け、キャップ５の保持部６と針カバー２１の鍔部３を装着した際に針カバー２１の先端（鍔部２２）が通気孔７、７Ａから本体２内部に侵入しなければどのような形状でも良い。
【００１０】
［真空採血管ホルダ１の使用例の概略］
本考案の真空採血管ホルダ１の使用例の概略を、図４と図５に基づいて説明する。
図４に例示する医療用具３１（血液フィルタ付き血液バッグ）の親バッグ３２の上流は、少なくとも親バッグ３２からチューブＴを介して連通ピース３３と分岐管３４と採血針３５に接続しており、分岐管３４と採血針３５の間のチューブＴ上を自在に移動できるように針カバー２１が取付けられてあり、分岐管３４のもう一方からチューブＴを介してクランプ３６と血液検査用バッグ３７と真空採血管ホルダ１に接続している。
（１）採血針３５の針キャップをはずし、供血者の腕に採血針３５を穿刺して血液検査用バッグ３７に所定量の血液を入れ、次いで親バッグ３２内に所定量の血液を入れる。
（２）図２に例示するように真空採血管ホルダ１のキャップ５を開き、本体２内部の針管１０に真空採血管（図示せず）を穿刺して、血液検査用バッグ３７に入った供血者の血液を真空採血管の中に採取する。本体２に所定量の血液を採取して真空採血管を真空採血管ホルダ１から引き抜き、図１に例示するように真空採血管ホルダ１のキャップ５を閉じる。
（３）作業者等が使用済みの採血針３５に触れないようチューブＴに取付けられている針カバー２１を移動させ採血針３５に被せる。
（４）親バッグ３２近傍のチューブＴをチューブＴシーラー（図示せず）でチューブＴの切断口を封止すると共に親バッグ３２と真空採血管ホルダ１等を装着したチューブＴを切り離す。図５に例示するように切り離した真空採血管ホルダ１のキャップ５の保持部６に針カバー２１の先端（鍔部２２）を装着してチューブＴを廃棄する。
【図面の簡単な説明】
【００１１】
【図１】本考案の真空採血管ホルダ１のキャップ５を閉じた状態の概略図
【図２】本考案の真空採血管ホルダ１のキャップ５を開いた状態の概略図
【図３】本考案の真空採血管ホルダ１のキャップ５を閉じた状態の断面図
【図４】本考案の真空採血管ホルダ１に針カバー２１を装着した状態の概略図
【図５】本考案の真空採血管ホルダ１を接続した医療用具３１の一例を示す平面図
【図６】図４の親バッグ３２近傍のチューブＴを切断して真空採血管ホルダ１に針カバー２１を装着している状態の平面図
【符号の説明】
【００１２】
１  真空採血管ホルダ
２  本体
３  鍔部
４  突部
５  キャップ
５Ａ  内筒
５Ｂ  外筒
６  保持部（溝）
７、７Ａ  通気孔
９  爪部
１０  針管
１１  針基
１２  ヒンジ
２１  針カバー
２２  鍔部
３１  医療用具（血液フィルタ付き血液バッグ）
３２  親バッグ
３３  連通ピース
３４  分岐管
３５  採血針
３６  クランプ
３７  血液検査用バッグ
Ｔ  チューブＴ
【図１】
0003123813.tif 000003
【図２】
0003123813.tif 000004
【図３】
0003123813.tif 000005
【図４】
0003123813.tif 000006
【図５】
0003123813.tif 000007
【図６】
0003123813.tif 000008